(57)【特許請求の範囲】
【請求項１】
（ａ）相手側コネクタと嵌合するハウジングと、
（ｂ）該ハウジングに実装され、前記相手側コネクタの端子部材と接触するとともに、回路基板に接続される端子部材とを有する基板用コネクタであって、
（ｃ）前記ハウジングは、前記回路基板に対向する底面及び該底面に対して立設された側面と、該側面の一つに、外方に向けて膨出するように形成され、前記相手側コネクタの係合部材を収容して該係合部材と係合する係合用膨出部とを備え、
（ｄ）前記側面のすべては、前記底面の輪郭線から前記底面と垂直な方向に延在する面よりも外方に突出する部分を備えておらず、
（ｅ）前記回路基板は、前記ハウジングの周囲にカバー部材を付着可能な面を備え、
（ｆ）前記カバー部材は、平板状部材であって、前記ハウジングの底面の輪郭線と同一形状で同一の大きさの開口を備え、前記基板用コネクタを前記回路基板に実装した後に、前記ハウジングが前記開口を通るように移動させ、前記ハウジングの周囲を取囲むように前記回路基板に付着可能であることを特徴とする基板用コネクタ。
【請求項２】
前記側面は、少なくとも前記底面から所定距離以内の範囲では前記底面と垂直な方向に延在する面と同一面である請求項１に記載の基板用コネクタ。
【請求項３】
前記側面は、下端が前記底面と側面との境界において開放し、上端が前記底面から前記所定距離未満の範囲にある切欠きを備える請求項２に記載の基板用コネクタ。
【請求項４】
前記底面は、前記切欠きと連通し、前記端子部材の周囲を含むように形成された凹部を備える請求項３に記載の基板用コネクタ。
【請求項５】
前記底面の輪郭線は矩形である請求項１〜４のいずれか１項に記載の基板用コネクタ。
【発明の詳細な説明】
【技術分野】
【０００１】
本発明は、基板用コネクタに関するものである。
【背景技術】
【０００２】
従来、ケーブルをプリント回路基板等の回路基板に接続するために基板用コネクタが使用されている（例えば、特許文献１参照。）。このような基板用コネクタは、回路基板に取付けられ、ケーブルの端部に接続されたケーブル用コネクタと嵌（かん）合する。
【０００３】
図８は従来の基板用コネクタの斜視図である。
【０００４】
図において、３０１は図示されない導電トレースを備える回路基板であり、基板用コネクタ３０２が取付けられている。該基板用コネクタ３０２には、並列に配列された複数のケーブル３０３の端部に接続されたケーブル用コネクタ３０４が嵌合されるようになっている。また、前記基板用コネクタ３０２は、合成樹脂等の絶縁性材料によって形成された概略直方体の箱状のハウジング３０５、及び、該ハウジング３０５内に並列に配列された複数の端子３０６を有する。該端子３０６は、ハウジング３０５の底面を貫通して下方へ突出し、その突出端が前記回路基板３０１に形成されたスルーホールに挿入され、はんだ付等によって固定されている。これにより、端子３０６は、スルーホールに接続された導電トレースに電気的に接続されるとともに、ハウジング３０５を回路基板３０１に固定する機能を発揮する。
【０００５】
そして、前記基板用コネクタ３０２の上面の開口から、ケーブル用コネクタ３０４が挿入され、該ケーブル用コネクタ３０４の図示されない端子が基板用コネクタ３０２の端子３０６と接続される。これにより、前記ケーブル３０３が回路基板３０１の対応する導電トレースと導通する。
【特許文献１】特開２０００−１２３９１２号公報
【発明の開示】
【発明が解決しようとする課題】
【０００６】
しかしながら、前記従来の基板用コネクタ３０２においては、ハウジング３０５の側面が平坦（たん）でないので、不正防止用カバーを適切に取付けることができなかった。
【０００７】
近年、パチンコ、パチンコとスロットマシーンとを組合せたパチスロ等の遊技機器を不正に操作するために、該遊戯機器の回路基板に接続されている基板用コネクタの端子にプローブを接触させて、遊戯機器の信号回路に不正信号を流す行為が行われている。この場合、回路基板に取付けられた基板用コネクタ側面の下端縁と回路基板表面との間からプローブを差込み、基板用コネクタの底面から突出する端子にプローブを接触させることが多い。
【０００８】
そこで、このような不正行為を防止するために、回路基板に取付けられた基板用コネクタ側面の下端縁の周囲に、シート状又は板状の樹脂製の不正防止用カバーを取付けることが提案されている。所定寸法、例えば、約０．２〔ｍｍ〕以上の厚さの不正防止用カバーで基板用コネクタ側面の下端縁の周囲を覆うことによって、基板用コネクタ側面の下端縁と回路基板表面との間からプローブを差込むことを防止することができる。
【０００９】
前記不正防止用カバーは、接着剤層を備え、基板用コネクタを回路基板に取付けた後に、基板用コネクタ周辺の回路基板表面に付着させられる。この場合、不正防止用カバーの縁を基板用コネクタ側面の下端縁の周囲にできるだけ密着させる必要があるので、不正防止用カバーにはあらかじめ基板用コネクタの横断面の形状及び大きさに合致した開口を形成し、該開口に基板用コネクタを通すようにして、不正防止用カバーを回路基板表面に取付けるようになっている。
【００１０】
しかし、前記基板用コネクタ３０２のハウジング３０５は、側面にリブ３１０やフック３１１が形成されているので、横断面が４本の直線から成る単純な矩（く）形でなく、凹凸を備える線からなる複雑な形状になっている。そのため、不正防止用カバーに適切な開口を形成することが困難である。また、リブ３１０やフック３１１の下端とハウジング３０５側面の下端縁とが離れているので、前記リブ３１０やフック３１１が通過することができる開口を備えた不正防止用カバーを回路基板３０１の表面に付着させると、前記リブ３１０やフック３１１の真下の箇所において、不正防止用カバーの開口の縁とハウジング３０５側面の下端縁との間に大きな間隔が生じ、プローブの差込みを適切に防止することができなくなってしまう。
【００１１】
本発明は、前記従来の問題点を解決して、ハウジングの側面が底面の輪郭線から垂直な方向に延在する面よりも外方に突出しないようにして、開口が形成された不正防止用カバーを回路基板上に容易に付着させることができ、不正防止用カバーの開口とハウジングの側面の下端縁との間の隙（すき）間の発生を防止することができ、信頼性の高い基板用コネクタを提供することを目的とする。
【課題を解決するための手段】
【００１２】
そのために、本発明の基板用コネクタにおいては、相手側コネクタと嵌合するハウジングと、該ハウジングに実装され、前記相手側コネクタの端子部材と接触するとともに、回路基板に接続される端子部材とを有する基板用コネクタであって、前記ハウジングは、前記回路基板に対向する底面及び該底面に対して立設された側面と、該側面の一つに、外方に向けて膨出するように形成され、前記相手側コネクタの係合部材を収容して該係合部材と係合する係合用膨出部とを備え、前記側面のすべては、前記底面の輪郭線から前記底面と垂直な方向に延在する面よりも外方に突出する部分を備えておらず、前記回路基板は、前記ハウジングの周囲にカバー部材を付着可能な面を備え、前記カバー部材は、平板状部材であって、前記ハウジングの底面の輪郭線と同一形状で同一の大きさの開口を備え、前記基板用コネクタを前記回路基板に実装した後に、前記ハウジングが前記開口を通るように移動させ、前記ハウジングの周囲を取囲むように前記回路基板に付着可能である。
【００１３】
本発明の他の基板用コネクタにおいては、さらに、前記側面は、少なくとも前記底面から所定距離以内の範囲では前記底面と垂直な方向に延在する面と同一面である。
【００１４】
本発明の更に他の基板用コネクタにおいては、さらに、前記側面は、下端が前記底面と側面との境界において開放し、上端が前記底面から前記所定距離未満の範囲にある切欠きを備える。
【００１５】
本発明の更に他の基板用コネクタにおいては、さらに、前記底面は、前記切欠きと連通し、前記端子部材の周囲を含むように形成された凹部を備える。
【００１６】
本発明の更に他の基板用コネクタにおいては、さらに、前記底面の輪郭線は矩形である。
【発明の効果】
【００１８】
本発明によれば、基板用コネクタは、ハウジングの側面が底面の輪郭線から垂直な方向に延在する面よりも外方に突出しないようようになっている。そのため、開口が形成された不正防止用カバーを回路基板上に容易に付着させることができ、不正防止用カバーの開口とハウジングの側面の下端縁との間の隙間の発生を防止することができ、信頼性を向上させることができる。
【発明を実施するための最良の形態】
【００１９】
以下、本発明の実施の形態について図面を参照しながら詳細に説明する。
【００２０】
図１は本発明の実施の形態における基板用コネクタを示す斜視図であり、相手側コネクタと嵌合する前の状態を示す斜視図、図２は本発明の実施の形態における基板用コネクタを示す短手方向断面図であり、相手側コネクタと嵌合した状態を示す断面図、図３は本発明の実施の形態における基板用コネクタを示す長手方向断面図、図４は本発明の実施の形態における基板用コネクタを示す正面図である。
【００２１】
図１及び２において、３０は本実施の形態における相手側コネクタであり、複数の芯（しん）線３２を備えるケーブルを基板用コネクタ１０に電気的に接続するために使用される。なお、本実施の形態において、相手側コネクタ３０は、図に示されるような断面円形の芯線３２を備えるケーブルを接続するためのものでなく、フレキシブルフラットケーブル（ＦＦＣ：Ｆｌｅｘｉｂｌｅ  Ｆｌａｔ  Ｃａｂｌｅ）、フレキシブル回路基板（ＦＰＣ：Ｆｌｅｘｉｂｌｅ  Ｐｒｉｎｔｅｄ  Ｃｉｒｃｕｉｔ）等の平板状可撓（とう）性ケーブルを接続するためのものであってもよい。また、本実施の形態において、基板用コネクタ１０及び相手側コネクタ３０の各部の構成及び動作を説明するために使用される上、下、左、右、前、後等の方向を示す表現は、絶対的なものでなく相対的なものであり、基板用コネクタ１０及び相手側コネクタ３０が図に示される姿勢である場合に適切であるが、基板用コネクタ１０及び相手側コネクタ３０の姿勢が変化した場合には姿勢の変化に応じて変更して解釈されるべきものである。
【００２２】
ここで、前記基板用コネクタ１０は、レセプタクルコネクタであって、合成樹脂等の絶縁材によって一体的に形成され、前記相手側コネクタ３０と嵌合するコネクタ本体としてのハウジング１１と、該ハウジング１１の底板１６を貫通するように取付けられた金属製の端子部材としての端子１２とを有する。図２に示されるように、前記ハウジング１１の底板１６には該底板１６を貫通する端子嵌入孔（こう）１７が形成され、前記端子１２は、前記相手側コネクタ３０の芯線用端子３３と接触するとともに、後述される基板４１に接続される部材であり、端子嵌入孔１７に嵌（はめ）込まれることによって、ハウジング１１の底板１６に取付けられている。図示される例において、端子１２は、合計２６本がピッチ２．０〔ｍｍ〕で２列となるように配列されているが、端子１２の本数、ピッチ、列数は任意に変更することができ、例えば、１列又は３列以上となるように配列されていてもよい。なお、必ずしもすべての端子嵌入孔１７に端子１２が嵌込まれる必要はなく、相手側コネクタ３０の芯線３２の配列に対応させて、端子１２を適宜省略することができる。また、前記ハウジング１１の底板１６の一隅には、下方に突出する位置決突起１３が底板１６と一体的に形成されている。
【００２３】
そして、前記ハウジング１１は、概略直方体の箱状の形状を有し、底板に対向する上面が開放され、相手側コネクタ３０が挿入される挿入口として機能する。また、前記ハウジング１１の一側面の上縁近傍には、相手側コネクタ３０の係合用腕部３５と係合して、ケーブルの端部と一体になった相手側コネクタ３０をロックするためのロック部材としての係合用膨出部１４が一体的に形成されている。さらに、該係合用膨出部１４には、係合用腕部３５の係合用突起部３５ａと係合する係合用開口部１４ａが形成されている。
【００２４】
なお、前記基板用コネクタ１０は、いわゆるストレートタイプのコネクタであり、図１及び２に示されるように、基板４１に対して立設された状態で、すなわち、挿入口が上を向いて開口した状態で、基板４１に端子１２の先端をはんだ付することによって実装される。
【００２５】
また、前記相手側コネクタ３０は、プラグコネクタであって、合成樹脂等の絶縁性の材料によって一体的に形成されたコネクタ本体としてのハウジング３１を有する。そして、該ハウジング３１は、概略直方体の箱状の形状を有し、さらに、断面が格子状となるように組合された板状の仕切部材３４によって仕切られた複数の端子収容孔３４ａを内部に有する。該端子収容孔３４ａは、ハウジング３１の上から下まで連通する断面が矩形の連通孔であり、図２に示されるように、芯線３２の端部に接続された端子部材としての芯線用端子３３を収容する。なお、該芯線用端子３３は、端子収容孔３４ａと係合し、抜出し不能に収容されることが望ましい。そして、前記芯線用端子３３は、基板用コネクタ１０の端子１２と同様に配列され、対応する端子１２と接続される。なお、必ずしもすべての端子収容孔３４ａに芯線用端子３３が嵌込まれる必要はなく、基板用コネクタ１０の端子１２の配列に対応させて、芯線用端子３３を適宜省略することができる。
【００２６】
さらに、前記ハウジング３１の一側面の上縁近傍には、基板用コネクタ１０の係合用膨出部１４と係合して基板用コネクタ１０にロックされた状態となるためのロック部材としての係合用腕部３５が一体的に形成されている。該係合用腕部３５は、一端が自由端になっているカンティレバー状の部材であり、前記係合用膨出部１４の係合用開口部１４ａと係合するための一体的に形成された係合用突起部３５ａを備える。
【００２７】
そして、図２に示されるように、基板用コネクタ１０と相手側コネクタ３０とが嵌合した状態では、該相手側コネクタ３０のハウジング３１の大部分は基板用コネクタ１０のハウジング１１内に挿入されて収容された状態となり、係合用腕部３５も係合用膨出部１４内に収容された状態で係合用突起部３５ａが係合用開口部１４ａと係合してロックされる。すなわち、基板用コネクタ１０に挿入される相手側コネクタ３０のロック部材が基板用コネクタ１０のロック部材の内部に挿入されてロックされるインナーロック式の嵌合が行われる。そのため、相手側コネクタ３０をオペレータが手指等によって操作して基板用コネクタ１０に嵌合させる際に、係合用突起部３５ａが係合用開口部１４ａと係合してロックされたことによるクリック感をオペレータは十分に感じることができる。また、外方からの目視によって係合用突起部３５ａが係合用開口部１４ａ内に位置することを確認することができるので、相手側コネクタ３０が基板用コネクタ１０に確実に嵌合されてロックされたことを容易に確認することができる。
【００２８】
ところで、図２〜４に示されるように、基板用コネクタ１０のハウジング１１の側面は、基板４１に対向する底面２１の周囲を形成する線、すなわち、輪郭線から底面２１と垂直な方向に延在する面よりも外方へ突出しないように形成されている。前記ハウジング１１は概略直方体の箱状の形状を有し、ハウジング１１の長手方向両端の二側面は平面である。なお、ハウジング１１の短手方向両端の二側面、すなわち、長手方向に延在する二側面は、一方（図２における右方）が平面であるが、他方（図２における左方）は凹凸を備え、係合用膨出部１４、補強機能を発揮するリブ１５等が形成されている。
【００２９】
また、ハウジング１１の底面２１の平面形状は四辺から成る矩形であり、底面２１の輪郭線も四辺から成る矩形である。そして、図３及び４に示されるように、ハウジング１１の長手方向両端の二側面は平面であり、底面２１の長手方向両端の二辺から底面２１と垂直な方向に延在する面と同一になっている。また、図２に示されるように、ハウジング１１の長手方向に延在する二側面の一方は平面であり、底面２１の長手方向に延在する二辺の中の一方から底面２１と垂直な方向に延在する面と同一になっている。なお、ハウジング１１の長手方向に延在する二側面の他方は平面でないが、係合用膨出部１４やリブ１５のように最も外方へ突出した部分でも、底面２１の長手方向に延在する二辺の中の一方から底面２１と垂直な方向に延在する面よりも外方へ突出していない。
【００３０】
さらに、ハウジング１１のすべての側面は、底面２１から少なくとも所定距離（後述される不正防止用カバー４２の厚さ寸法）以内の範囲において、底面２１と垂直な方向に延在する面と同一面となっていることが望ましい。
【００３１】
このように、ハウジング１１の底面２１の輪郭線が四辺から成る矩形という単純な形状であるので、後述される不正防止用カバー４２の開口４２ａを容易に形成することができる。また、ハウジング１１の側面が底面２１の輪郭線から底面２１と垂直な方向に延在する面よりも外方へ突出していないので、不正防止用カバー４２を基板４１に取付ける際に、ハウジング１１が開口４２ａ内を通るようにして容易に不正防止用カバー４２を移動させることができる。さらに、不正防止用カバー４２の開口４２ａが底面２１の平面形状と同一の形状で同一の大きさなので、開口４２ａの内周とハウジング１１の側面との間に隙間が発生することがない。さらに、ハウジング１１の側面が少なくとも底面２１から所定距離以内の範囲において、底面２１と垂直な方向に延在する面と同一面となっているので、底面２１と垂直な方向に関して、開口４２ａの内周とハウジング１１の側面との間に隙間が発生することがない。
【００３２】
なお、図１〜３に示される例においては、ハウジング１１の側面が底面２１と接続される範囲に切欠きとしてのスタンドオフ２３が形成されている。該スタンドオフ２３は、下端が底面２１と側面との境界において開放し、上端が底面２１から前記所定距離（不正防止用カバー４２の厚さ寸法）未満の範囲にある。また、ハウジング１１の底面２１には、前記スタンドオフ２３と連通し、端子１２の周囲を含むように凹部２２が形成されている。これにより、端子１２を基板４１に接続するためのはんだ付の際に加えられる熱や、フラックスから発生するガスを端子１２の周囲から、凹部２２及びスタンドオフ２３を通して、外部へ排出することができる。また、スタンドオフ２３の高さ寸法、すなわち、底面２１と垂直な方向の寸法は、不正防止用カバー４２の厚さ寸法未満となっているので、不正防止用カバー４２の開口４２ａの内周とハウジング１１の側面との間に隙間が発生することがない。なお、前記スタンドオフ２３及び凹部２２は適宜省略することができる。
【００３３】
次に、基板４１に実装された状態の基板用コネクタ１０について説明する。
【００３４】
図５は本発明の実施の形態における基板に実装された状態の基板用コネクタを示す斜視図であり、斜め上方から観た状態を示す斜視図、図６は本発明の実施の形態における基板に実装された状態の基板用コネクタを示す斜視図であり、斜め下方から観た状態を示す第１の斜視図、図７は本発明の実施の形態における基板に実装された状態の基板用コネクタを示す斜視図であり、斜め下方から観た状態を示す第２の斜視図である。
【００３５】
本実施の形態において、基板４１は、プリント配線板等の回路基板であり、例えば、パチンコ、パチンコとスロットマシーンとを組合せたパチスロ等の遊技機器に使用される回路基板であるが、コンピュータ、自動販売機、家庭用電化製品等に使用される回路基板であってもよく、いかなる種類の電気機器や電子機器に使用される回路基板であってもよい。また、前記基板４１には図示されない導電トレース、及び、基板４１を厚さ方向に貫通するとともに前記導電トレースに電気的に接続されたスルーホールが形成されている。なお、図５〜７における基板４１は、基板用コネクタ１０が実装された部分のみが図示され、他の部分の図示が省略されている。
【００３６】
そして、基板用コネクタ１０は、ハウジング１１の底面２１が基板４１の上面（図５に示される面）に対向するような向きで基板４１に実装される。この場合、下方に突出する端子１２の先端が対応するスルーホールに挿入され、また、位置決突起１３が基板４１に形成された図示されない位置決凹部に嵌入される。これにより、基板用コネクタ１０は、基板４１の所定の位置に所定の向きで取付けられる。なお、図６及び７に示されるように、前記端子１２の先端は、スルーホールを通抜け、基板４１の下面（図６及び７に示される面）から突出する。そして、端子１２がはんだ付によって基板４１のスルーホールに固定されることにより、基板用コネクタ１０が基板４１に固定されている。
【００３７】
また、基板４１は、その上面のハウジング１１の周囲にカバー部材としての不正防止用カバー４２を付着可能な面を備え、図５に示される例においては、ハウジング１１の周囲を取囲むように、不正防止用カバー４２が付着されている。なお、該不正防止用カバー４２は、端子１２をはんだ付によって基板４１のスルーホールに固定することによって基板用コネクタ１０を基板４１に実装した後に、取付けられる。不正防止用カバー４２は、例えば、アクリル等の絶縁性の樹脂から成る薄板、ポリイミド等の絶縁性の樹脂から成るシートであるが、絶縁性の材料から成る薄板状又はシート状の板状部材であれば、いかなる材料から成るものであってもよい。また、前記不正防止用カバー４２は、中実の部材であってもよいし、中容の部材であってもよいし、基板４１側に凹部が形成されている部材であってもよいし、ハウジング１１の周囲の基板４１上をカバーする部材であれば、いかなる断面形状の部材であってもよい。なお、前記不正防止用カバー４２の厚さ寸法は、０．２〔ｍｍ〕以上であることが望ましい。また、前記不正防止用カバー４２の縦方向及び横方向の寸法は、基板用コネクタ１０の周囲を取囲むことができる寸法であればよく、いかなる程度の大きさであってもよい。さらに、前記不正防止用カバー４２は、一方の面に接着剤層を備え、該接着剤層によって基板４１の上面に付着されるようになっていることが望ましい。なお、接着剤層を備えていない場合には、基板４１の上面に付与された接着剤によって不正防止用カバー４２を基板４１の上面に付着させることもできる。
【００３８】
そして、前記不正防止用カバー４２には、周囲が閉じた開口４２ａが形成されている。該開口４２ａは、基板用コネクタ１０のハウジング１１における底面２１の平面形状と同一の形状で同一の大きさであり、図５に示されるように、基板４１に実装された基板用コネクタ１０の周囲を取囲むように不正防止用カバー４２が基板４１に付着された状態で、開口４２ａの内周とハウジング１１の側面との間に隙間が発生することがないようになっている。そして、ハウジング１１の底面２１の輪郭線が四辺から成る矩形という単純な形状であるので、前記開口４２ａを容易に形成することができる。
【００３９】
なお、不正防止用カバー４２を基板４１の上面に付着させる際には、不正防止用カバー４２を基板４１の上方から下方に向けて移動させ、開口４２ａ内に基板用コネクタ１０のハウジング１１を挿入するように、すなわち、ハウジング１１が開口４２ａ内を通るようにして、不正防止用カバー４２の下側の面を基板４１の上面に当接させる。
【００４０】
この場合、図５〜７に示されるように、ハウジング１１の長手方向両端の二側面は平面であり、底面２１の長手方向両端の二辺から底面２１と垂直な方向に延在する面と同一になっている。また、図７に示されるように、ハウジング１１の係合用膨出部１４と反対側の側面は平面であり、底面２１の長手方向に延在する二辺の中の一方から底面２１と垂直な方向に延在する面と同一になっている。さらに、ハウジング１１の係合用膨出部１４側の面は凹凸を備えるが、底面２１の長手方向に延在する二辺の中の一方から底面２１と垂直な方向に延在する面よりも外方へ突出していない。すなわち、ハウジング１１の側面が底面２１の輪郭線から底面２１と垂直な方向に延在する面よりも外方へ突出していないので、不正防止用カバー４２を基板４１に取付ける際に、ハウジング１１が開口４２ａ内を通るようにして容易に不正防止用カバー４２を移動させることができる。
【００４１】
そして、前記開口４２ａは、ハウジング１１の底面２１の平面形状と同一の形状で同一の大きさであるので、前記基板４１の上面に不正防止用カバー４２が付着された状態で、開口４２ａの内周とハウジング１１の側面との間に隙間が発生しない。また、ハウジング１１の側面が底面２１と接続される範囲にはスタンドオフ２３が形成されているが、該スタンドオフ２３の高さ寸法は不正防止用カバー４２の厚さ寸法未満である。そのため、図５に示されるように、不正防止用カバー４２が基板４１の上面に付着された状態では、スタンドオフ２３が露出しない。すなわち、該スタンドオフ２３の存在する部分でも、不正防止用カバー４２の開口４２ａの内周とハウジング１１の側面との間に隙間が発生しない。
【００４２】
相手側コネクタ３０を基板４１に実装された基板用コネクタ１０に嵌合する場合には、相手側コネクタ３０をオペレータが手指等によって操作して、図５〜７に示されるように、相手側コネクタ３０の下端が真下を向くようにして、基板用コネクタ１０の真上に位置させる。なお、係合用腕部３５の形成された側面が基板用コネクタ１０における係合用膨出部１４の形成された側面と同一方向を向くように、相手側コネクタ３０の向きが調整される。そして、相手側コネクタ３０を真下方向に移動させ、相手側コネクタ３０を基板用コネクタ１０のハウジング１１の挿入口に挿入し、図２に示されるように、相手側コネクタ３０を基板用コネクタ１０に嵌合させる。この際に、係合用突起部３５ａが係合用開口部１４ａと係合してロックされたことによるクリック感をオペレータは十分に感じることができる。また、外方からの目視によって係合用突起部３５ａが係合用開口部１４ａ内に位置することを確認することができるので、相手側コネクタ３０が基板用コネクタ１０に確実に嵌合されてロックされたことを容易に確認することができる。
【００４３】
このように、本実施の形態において、基板用コネクタ１０のハウジング１１の側面は、底面２１の輪郭線から底面２１と垂直な方向に延在する面よりも外方へ突出しないように形成されている。そのため、底面２１の平面形状と同一の形状で同一の大きさの開口４２ａが形成された不正防止用カバー４２を基板用コネクタ１０が実装された基板４１に取付ける際に、ハウジング１１が開口４２ａ内を通るようにして容易に不正防止用カバー４２を移動させることができる。
【００４４】
また、該不正防止用カバー４２の開口４２ａが底面２１の平面形状と同一の形状で同一の大きさなので、開口４２ａの内周とハウジング１１の側面との間に隙間が発生しない。さらに、ハウジング１１の側面が少なくとも底面２１から所定距離、すなわち、不正防止用カバー４２の厚さ寸法以内の範囲において、底面２１と垂直な方向に延在する面と同一面となっているので、底面２１と垂直な方向に関して、開口４２ａの内周とハウジング１１の側面との間に隙間が発生することがない。さらに、スタンドオフ２３の存在する部分でも、スタンドオフ２３の高さ寸法は不正防止用カバー４２の厚さ寸法未満である。そのため、不正防止用カバー４２の開口４２ａの内周とハウジング１１の側面との間に隙間が発生しない。
【００４５】
したがって、不正防止用カバー４２の開口４２ａの縁とハウジング１１の側面との間にプローブが差込まれることがなく、不正行為を確実に防止することができる。
【００４６】
さらに、ハウジング１１は、底面２１から少なくとも所定長以上の範囲で側面が底面２１と垂直な方向に延在する面と同一でスムーズなので、基板用コネクタ１０を組立てたり基板４１に実装する作業において、ロボットハンド、マニピュレータ等を備える自動機器を使用してハウジング１１や基板用コネクタ１０を搬送する場合、ハウジング１１や基板用コネクタ１０を把持するための把持装置がハウジング１１側面の凹凸に引っ掛かることがなく、確実に所定の姿勢でハウジング１１を把持してすることができる。
【００４７】
なお、本発明は前記実施の形態に限定されるものではなく、本発明の趣旨に基づいて種々変形させることが可能であり、それらを本発明の範囲から排除するものではない。
【図面の簡単な説明】
【００４８】
【図１】本発明の実施の形態における基板用コネクタを示す斜視図であり、相手側コネクタと嵌合する前の状態を示す斜視図である。
【図２】本発明の実施の形態における基板用コネクタを示す短手方向断面図であり、相手側コネクタと嵌合した状態を示す断面図である。
【図３】本発明の実施の形態における基板用コネクタを示す長手方向断面図である。
【図４】本発明の実施の形態における基板用コネクタを示す正面図である。
【図５】本発明の実施の形態における基板に実装された状態の基板用コネクタを示す斜視図であり、斜め上方から観た状態を示す斜視図である。
【図６】本発明の実施の形態における基板に実装された状態の基板用コネクタを示す斜視図であり、斜め下方から観た状態を示す第１の斜視図である。
【図７】本発明の実施の形態における基板に実装された状態の基板用コネクタを示す斜視図であり、斜め下方から観た状態を示す第２の斜視図である。
【図８】従来の基板用コネクタの斜視図である。
【符号の説明】
【００４９】
１０、３０２    基板用コネクタ
１１、３１、３０５    ハウジング
１２、３０６    端子
１３    位置決突起
１４    係合用膨出部
１４ａ    係合用開口部
１５、３１０    リブ
１６    底板
１７    端子嵌入孔
２１    底面
２２    凹部
２３    スタンドオフ
３０    相手側コネクタ
３２    芯線
３３    芯線用端子
３４    仕切部材
３４ａ    端子収容孔
３５    係合用腕部
３５ａ    係合用突起部
４１    基板
４２    不正防止用カバー
４２ａ    開口
３０１    回路基板
３０３    ケーブル
３０４    ケーブル用コネクタ
３１１    フック
【図１】
0004398908.tif 000002
【図２】
0004398908.tif 000003
【図３】
0004398908.tif 000004
【図４】
0004398908.tif 000005
【図５】
0004398908.tif 000006
【図６】
0004398908.tif 000007
【図７】
0004398908.tif 000008
【図８】
0004398908.tif 000009